(57)【要約】【課題】盗難された車両に対して、簡単な制御で車両の使用に制限を与え、盗難車の所在位置を特定することを可能にする。【解決手段】充電制御部１０１は、タイマ時間のカウントを実行し、タイマ時間の終了を通知するタイマ部１０５と、タイマ部１０５からのタイマ時間の終了の通知により、充電状態信号を充電禁止に設定する充電状態信号設定部１０６と、充電コネクタ１０２が電力供給コネクタに接続された後、車両の電池への充電を開始する前に、充電状態信号が充電禁止に設定されているとき、充電コネクタ１０２の接続をロックさせるロック信号を充電コネクタロック機構１１０に送出する充電禁止部１０７と、ユーザの認証を行い、該認証に成功したとき、充電状態信号を充電許可に設定し、充電コネクタロック機構１１０のロックを解除させる充電禁止解除部１０８を備える。【選択図】図１
2015208140.tif 000002
【特許請求の範囲】
【請求項１】
設定されたタイマ時間のカウントを実行し、該タイマ時間のカウントの終了時にタイマ時間の終了を通知するタイマ部と、
前記タイマ部からのタイマ時間の終了の通知により、充電状態信号を充電禁止に設定する充電状態信号設定部と、
充電コネクタが電力供給コネクタに接続された後、車両の電池への充電を開始する前に、前記充電状態信号が充電禁止に設定されているとき、前記充電コネクタの接続をロックさせるロック信号を充電コネクタロック機構に送出する充電禁止部と、
を備えた車両盗難防止装置。
【請求項２】
ユーザの認証を行い、該認証に成功したとき、前記充電状態信号を充電許可に設定し、前記充電コネクタロック機構のロックを解除させる充電禁止解除部を、
備えたことを特徴とする請求項１記載の車両盗難防止装置。
【請求項３】
前記車両の電池への充電が行われたとき、前記タイマ時間を前記タイマ部に再設定し、該タイマ時間のカウント動作を再スタートさせるタイマ制御部を、
備えたことを特徴とする請求項１又は２記載の車両盗難防止装置。
【請求項４】
設定されたタイマ時間のカウントを実行し、該タイマ時間のカウントの終了時に、タイマ時間の終了を通知するタイマ時間カウントステップと、
前記タイマ時間の終了の通知により、充電状態信号を充電禁止に設定する充電状態信号設定ステップと、
充電コネクタが電力供給コネクタに接続された後、車両の電池の充電が開始する前に、前記充電状態信号が充電禁止に設定されているとき、前記充電コネクタの接続をロックさせるロック信号を充電コネクタロック機構に送出する充電禁止ステップと、
を含む車両盗難防止方法。
【請求項５】
ユーザの認証を行い、該認証に成功したとき、前記充電状態信号を充電許可に設定し、前記充電コネクタロック機構のロックを解除させる充電禁止解除ステップを、
含むことを特徴とする請求項４記載の車両盗難防止方法。
【請求項６】
前記車両の電池への充電が行われたとき、前記タイマ時間をタイマに再設定し、該タイマ時間のカウント動作を再スタートさせるタイマ制御ステップを、
含むことを特徴とする請求項４又は５記載の車両盗難防止方法。
【発明の詳細な説明】
【技術分野】
【０００１】
本発明は、盗難車両等、正規のユーザ以外によって使用される車両に対して、該車両の使用に制限を与える車両盗難防止装置及び方法に関する。
【背景技術】
【０００２】
ハイブリッドカー、プラグインハイブリッドカー、電気自動車等のように、充電可能な電池を搭載し、外部の充電システムによって充電される車両が実用化されている。そして、このような車両の盗難等の不正使用に対する対策も要望されている。
【０００３】
車両の盗難を防止するための従来技術として、遠隔操作又は車両盗難通報により、車両のエンジンやドアロック装置等を機能させないように制御する技術が知られている（例えば特許文献１，２に記載の技術）。これらの従来技術は、盗難車等に対して車両そのものを使用不可にしてしまうものである。
【０００４】
しかし、車両のエンジンに停止指令を与えてエンジンを強制的に停止させることは、車両の走行中のときなど、周囲の往来等に対する安全性が必ずしも確保されないという問題点を有している。
【０００５】
また、車両の盗難を防止するための他の従来の技術として、盗難車両情報を受信して記憶する手段を備え、車両の電池の充電時に、該車両の車両情報と記憶された盗難車両情報とを照合し、それらの情報が一致したとき、該車両の電池への充電を禁止する技術が知られている（例えば特許文献３に記載の技術）。この従来技術では、車両の電池容量がなくなった時点で車両を使用不可とする点で、安全性への配慮がなされており、有効な技術である。
【０００６】
しかし、この従来技術は、盗難車両情報を無線で受信する手段を備えなければならないため、システムが複雑でコストアップを招く。また、盗難車両情報を受信できるか否かは必ずしも保証されず、盗難車両情報が無ければ、電池の充電を制限することができないという問題点を有していた。
【０００７】
さらに、携帯型の情報端末に搭載された電池の容量が一旦不足した後は、専用の充電器を用いなければ、当該情報端末を使用することができないようにした従来技術が知られている（例えば特許文献４に記載の技術）。
【０００８】
しかし、この従来技術は、専用の充電器が必要であり、充電器と情報端末との間でプログラムの通信を行わなければならず、制御が複雑である。一般に、電池で駆動される車両に対する充電システムは、車両毎に専用のものではないため、このような従来技術は適用することができないという問題点を有していた。
【０００９】
また、盗難された車両に対して、該車両の電池への充電を禁止することを可能にした技術として、車両のユーザの認証を行い、該認証に成功したときに、充電動作を開始させる技術が知られている（例えば特許文献５に記載の技術）。
【先行技術文献】
【特許文献】
【００１０】
【特許文献１】特開２００５−９７８３５号公報
【特許文献２】特開２００２−５９８１２号公報
【特許文献３】特開２０１１−１８３８３９号公報
【特許文献４】特開２００９−１８３１１９号公報
【特許文献５】特開２０１３−１３８５７５号公報
【発明の概要】
【発明が解決しようとする課題】
【００１１】
前述の特許文献５に記載された技術のように、盗難された車両に対して、該車両の電池への充電を禁止し、充電を不可能にするだけでは、盗難された車両の所在位置を特定することは難しい。また、特許文献３に記載の技術のように、盗難車両情報を受信して記憶し、充電しようとする車両の車両情報と盗難車両情報とを照合して充電を禁止する技術では、車両情報を送信する通信モジュールを車両に搭載しておく必要があるため、高コストを招く。
【００１２】
上記課題に鑑み、本発明は、盗難された車両の電池への充電が開始されようとしたとき、簡単な制御で、盗難された車両の使用に制限を与え、盗難された車両の所在位置を特定することができる車両盗難防止装置及び方法を提供することを目的とする。
【課題を解決するための手段】
【００１３】
本発明の一つの形態に係る車両盗難防止装置は、設定されたタイマ時間のカウントを実行し、該タイマ時間のカウントの終了時にタイマ時間の終了を通知するタイマ部と、前記タイマ部からのタイマ時間の終了の通知により、充電状態信号を充電禁止に設定する充電状態信号設定部と、充電コネクタが電力供給コネクタに接続された後、車両の電池への充電を開始する前に、前記充電状態信号が充電禁止に設定されているとき、前記充電コネクタの接続をロックさせるロック信号を充電コネクタロック機構に送出する充電禁止部と、を備えたものである。
【００１４】
また、ユーザの認証を行い、該認証に成功したとき、前記充電状態信号を充電許可に設定し、前記充電コネクタロック機構のロックを解除させる充電禁止解除部を備えたものである。
【００１５】
また、前記車両の電池への充電が行われたとき、前記タイマ時間を前記タイマ部に再設定し、該タイマ時間のカウント動作を再スタートさせるタイマ制御部を備えたものである。
【発明の効果】
【００１６】
本発明によれば、通常使用時に正規ユーザに煩雑な操作を強いることなく、盗難された車両の電池への充電が開始されようとしたとき、簡単な制御で、盗難された車両の使用に制限を与え、盗難された車両の所在位置を容易に特定することが可能になる。
【図面の簡単な説明】
【００１７】
【図１】本実施形態の車両盗難防止装置の構成例を示す図である。
【図２】タイマ部の制御動作を示すフローチャートである。
【図３】充電禁止部、充電禁止解除部、タイマ制御部の制御動作を示すフローチャートである。
【図４】ユーザ認証の画面の表示例を示す図である。
【発明を実施するための形態】
【００１８】
以下、本発明の実施形態について図面を参照しながら詳細に説明する。図１は、本実施形態の車両盗難防止装置の構成例を示す。本実施形態は、車両の走行モータ駆動用の電池１０４に対して、充電スタンドなどの充電電力を供給する充電システムから充電を行うための充電制御システムとして実施される。
【００１９】
充電コネクタ１０２は、不図示の充電スタンドなどの電力供給コネクタと接続される電力接続口である。充電器１０３は、不図示の充電スタンドから充電コネクタ１０２を介して供給される電力を電源として、電池１０４へ充電電力を供給し、電池１０４を充電する。
【００２０】
充電制御部１０１は、充電器１０３の充電動作を制御するほか、充電時に盗難車両に対する使用制限を与えるための動作を制御する。この制御のために、充電制御部１０１は、タイマ部１０５、充電状態信号設定部１０６、充電禁止部１０７、充電禁止解除部１０８、及びタイマ制御部１０９を備える。
【００２１】
タイマ部１０５は、設定されたタイマ時間まで一定周期のタイミング信号のカウントによる計時を実行し、該タイマ時間にカウント値が到達すると、カウントを終了し、充電状態信号設定部１０６にタイマ時間終了を知らせる信号を送出する。
【００２２】
充電状態信号設定部１０６は、タイマ部１０５がカウントを実行している最中は、充電状態信号を、充電許可を示す信号に設定し、タイマ部１０５からタイマ時間終了の信号を受信すると、充電禁止を示す信号に設定する。
【００２３】
充電禁止部１０７は、ユーザによる車両の電池１０４への充電の開始要求に対して、充電状態信号設定部１０６から出力される充電状態信号が充電許可を示しているとき、充電器１０３に対して充電動作を開始させる。一方、充電禁止部１０７は、充電状態信号設定部１０６から出力される充電状態信号が充電禁止を示しているとき、ユーザに充電禁止を通知し、充電器１０３に対して充電動作を禁止させる。
【００２４】
また、このとき、充電禁止部１０７は、充電コネクタロック機構１１０に対して充電コネクタロック信号を送出し、充電コネクタロック機構１１０に、充電コネクタ１０２を電力供給コネクタから外すことができないようにロックさせる。
【００２５】
ここで、ユーザによる車両の電池１０４への充電の開始要求は、例えば、ユーザが充電コネクタ１０２を充電システムの電力供給コネクタ（図示省略）と接続したことを、充電コネクタ１０２に接続された電力供給ケーブル（図示省略）の電圧変化として充電禁止部１０７で検出し、該電圧変化により認識する構成とすることができる。
【００２６】
或いは、ユーザが充電コネクタ１０２を充電システムの電力供給コネクタ（図示省略）と接続した後、充電ボタン（図示省略)を押下したことを充電禁止部１０７で検出することにより、充電の開始要求を認識するようにしてもよい。
【００２７】
充電禁止解除部１０８は、ユーザへの充電禁止の通知に対するユーザの操作により、充電禁止の解除要求がユーザからあったときに該ユーザの認証を行い、該認証が成功したときに、充電状態信号設定部１０６に対して充電状態信号を充電許可の信号に設定させ、充電器１０３に対して充電動作を開始させる。
【００２８】
また、このとき、該認証が成功し、状態信号設定部１０６から出力される充電状態信号が充電許可の信号になると、充電禁止部１０７は、充電コネクタロック機構１１０に充電コネクタロック解除信号を送出する。充電コネクタロック機構１１０は、充電コネクタロック解除信号を受信すると、充電コネクタ１０２と電力供給コネクタとの接続のロックを解除する。
【００２９】
タイマ制御部１０９は、充電禁止部１０７が充電許可の充電状態信号を受信して充電動作を開始させたとき、又は充電禁止解除部１０８でユーザ認証が成功したことにより充電動作を開始させたときに、タイマ部１０５のカウント値をリセットし、タイマ部１０５にタイマ時間を再設定してタイマ部１０５のカウント動作を再開させるよう制御する。なお、タイマ部１０５のカウント値のリセット及びカウント動作の再開は、充電動作に連係して行われればよく、上述のように充電動作の開始時に行う構成に代えて、充電動作の終了時に行うようにしてもよい。
【００３０】
図１に示す本実施形態の構成により、タイマ部１０５は、一定期間（例えば、一日、一週間又は一ヶ月等）の計時が終了すると、充電状態信号設定部１０６に対して充電状態信号を充電禁止の信号に設定させる。この状態でユーザが充電を開始しようとすると、充電禁止部１０７は、充電が禁止されている旨をユーザに通知し、充電コネクタロック機構１１０にロック信号を送出する。
【００３１】
ユーザはこの通知に対して、充電禁止解除のためのユーザ認証の操作を行う。ユーザは、例えば、音声発声によりパスワードを入力し、該パスワードが充電禁止解除部１０８に伝えられると、充電禁止解除部１０８は、該パスワードの認証を行い、該認証が成功すると、充電状態信号設定部１０６に対して充電状態信号を充電許可に設定させる。充電禁止部１０７は、充電状態信号が充電許可となったことにより、充電器１０３に対して充電を開始させ、充電コネクタロック機構１１０にロック解除信号を送出する。
【００３２】
タイマ部１０５が一定期間（タイマ時間）の計時を終了する前に、ユーザが充電を開始しようとした場合、充電状態信号設定部１０６で設定されている充電状態信号は、充電許可を示しているため、ユーザは、ユーザ認証を要求されることなく、充電を開始することができる。
【００３３】
そして、充電を行うことによりタイマ部１０５がリセットされて再スタートされるため、タイマ部１０５のタイマ時間を通常の充電間隔より若干長めに設定しておくことにより、タイマ部１０５がタイマ時間に到達する前に充電を行うユーザは、認証を行うことなく充電することができる。
【００３４】
ここで、盗難された車両の場合について説明すると、盗難された車両は、暫らくの間はそのまま走行可能であるが、電池１０４の残容量が無くなって充電を開始しようとしたとき、タイマ部１０５が一定期間の計時を終了し、充電状態信号が充電禁止に設定されていた場合、充電禁止部１０７により充電禁止が盗難者に通知される。
【００３５】
しかし、盗難者はパスワードを知らないため、充電禁止解除部１０８によるユーザ認証を成功させることができず、充電を開始することができなくなるとともに、充電コネクタ１０２が電力供給コネクタに接続されたままロックされるので、該車両を移動させることもできなくなる。これにより、盗難車の所在位置を特定することが容易になり、車両の盗難抑止の効果も発揮される。
【００３６】
本実施形態では、従来技術のように、盗難情報を無線通信等によって受信する必要がなく、タイマによる簡単な制御で、車両の電池への充電の間隔が一定時間（タイマ時間）以上経過した車両のユーザに対してユーザ認証を実施し、ユーザ認証に失敗した車両に対して、充電コネクタ１０２の接続をロックしたままにすることで、低コストで盗難車両の所在位置の特定を容易に行うことが可能となる。
【００３７】
図２は、タイマ部１０５の制御動作を示すフローチャートである。この制御動作は、例えば充電制御部１０１を構成する不図示のマイクロコンピュータ内のＣＰＵ（中央演算処理装置）が、不図示のメモリに記憶された制御プログラムを実行する動作として実現される。
【００３８】
まず、タイマ部１０５は、充電動作（充電の開始又は終了）に応答してタイマ制御部１０９により不図示のメモリ又はレジスタに設定されているタイマ時間の計時（カウント）を開始する（ステップＳ２０１）。次に、タイマ部１０５は、上述のタイマ時間分のカウントが終了してタイマ時間に到達したか否かを判定する（ステップＳ２０２）。
【００３９】
タイマ時間に到達しておらず、ステップＳ２０２の判定がＮＯの場合、タイマ部１０５は、タイマ時間のカウントを続行する（ステップＳ２０２→Ｓ２０１の繰返し処理）。ただし、タイマ部１０５は、タイマ時間のカウントの続行中に、充電動作（充電の開始又は終了）に応答して、タイマ制御部１０９によりリセットされ、ステップＳ２０１からタイマ時間のカウントを再スタートさせられることがある。
【００４０】
タイマ時間に到達し、ステップＳ２０２の判定がＹＥＳになると、タイマ部１０５は、充電状態信号設定部１０６にタイマ時間の終了を通知し、充電状態信号設定部１０６に、充電状態信号の状態値を充電許可から充電禁止に設定させる（Ｓ２０３）。その後、タイマ部１０５は、タイマ時間の計時（カウント）動作を終了する。
【００４１】
以上のようにして、充電動作（充電の開始又は終了）に応答してタイマ部１０５が計時（カウント）動作を開始してから、一定時間（タイマ時間）経過してしまうと、充電状態信号が、充電許可から充電禁止を示す信号に設定される。
【００４２】
図３は、充電禁止部１０７、充電禁止解除部１０８、及びタイマ制御部１０９の制御動作を示すフローチャートである。この制御動作も、図２の場合と同様に、例えば充電制御部１０１を構成する不図示のマイクロコンピュータ内のＣＰＵが、不図示のメモリに記憶された制御プログラムを実行する動作として実現される。
【００４３】
まず、充電コネクタ１０２が充電システムの不図示の電力供給コネクタと接続されるまで、待機状態が維持される（ステップＳ３０１の判定がＮＯの繰返し）。充電コネクタ１０２が電力供給コネクタと接続されてステップＳ３０１の判定がＹＥＳになると、充電状態信号設定部１０６から出力される充電状態信号の状態値を確認し（ステップＳ３０２）、該状態値が充電禁止であるか否かを判定する（ステップＳ３０３）。
【００４４】
充電状態信号が充電許可を示し、ステップＳ３０３の判定がＮＯの場合、充電禁止部１０７は、図１の充電器１０３に対して充電動作の開始を指示する（Ｓ３０４）。一方、充電状態信号が充電禁止を示し、ステップＳ３０３の判定がＹＥＳの場合、充電禁止部１０７は、充電コネクタロック機構１１０に対して充電コネクタロック信号を送出し（Ｓ３０８）、また、ユーザに充電禁止を通知する（ステップＳ３０９）。以上のステップＳ３０２、Ｓ３０３、Ｓ３０４、Ｓ３０８、Ｓ３０９の処理は、図１の充電禁止部１０７により実行される。
【００４５】
ステップＳ３０８により充電コネクタロック信号を受信した充電コネクタロック機構１１０は、充電コネクタ１０２を電力供給コネクタからユーザによっては外すことができないようにロックする。そして、ステップＳ３０９によりユーザに充電禁止を通知した後、ユーザが充電禁止解除を要求したか否かを判定する（ステップＳ３１０）。
【００４６】
ユーザが充電禁止解除を要求せず、ステップＳ３１０の判定がＮＯの場合（例えば盗難者が解除を諦めたような場合）には、ステップＳ３０１の充電コネクタ接続判定の待機処理に戻る（ステップＳ３１０→Ｓ３０１）。
【００４７】
ユーザが充電禁止解除を要求し、ステップＳ３１０の判定がＹＥＳの場合は、さらにユーザからの認証情報の入力を受け付けて該認証情報を確認する（ステップＳ３１１）。その結果、認証が成功したか否かを判定する（ステップＳ３１２）。
【００４８】
ユーザ認証が成功せず、ステップＳ３１２の判定がＮＯの場合（例えば盗難者が正しい認証情報を入力できなかった場合）には、ステップＳ３０１の充電コネクタ接続判定の待機処理に戻る（ステップＳ３１２→Ｓ３０１）。
【００４９】
ユーザ認証が成功してステップＳ３１２の判定がＹＥＳとなった場合は、充電状態信号設定部１０６の充電状態信号の状態値を充電許可に設定し（ステップＳ３１３）、それにより、充電禁止部１０７から充電コネクタロック機構１１０に充電コネクタロック解除信号を送出させる（ステップＳ３１４）。
【００５０】
充電コネクタロック解除信号を受信した充電コネクタロック機構１１０は、充電コネクタ１０２と電力供給コネクタとの接続のロック状態を解除する。その後、ステップＳ３０４に移行して、図１の充電器１０３に対して充電動作を開始させる。
【００５１】
以上のステップＳ３１０からＳ３１４の制御動作は、図１の充電禁止解除部１０８により実行される。ステップＳ３０３又はＳ３１４の処理の後に、充電動作が開始すると（ステップＳ３０４）、不図示のメモリ又はレジスタにタイマ時間を再設定し、図２のフローチャートで示すタイマ部１０５のカウント動作を再スタートさせる（ステップＳ３０５）。
【００５２】
そして、充電制御部１０１は、充電器１０３により電池１０４へ充電電力を給電させ（ステップＳ３０６）、所定の充電量（例えば満充電）となるまで電池１０４が充電されて充電が終了したか否かを判定し（ステップＳ３０７）、充電が終了するまで、充電電力の給電を継続する（ステップＳ３０６→Ｓ３０７の判定がＮＯ→Ｓ３０６の繰返し）。充電が終了すると（ステップＳ３０７でＹｅｓ）、ステップＳ３０１の充電コネクタ接続の待機処理に戻る。
【００５３】
なお、図３ではタイマ部１０５のカウント動作の再スタート（ステップＳ３０５）を、ステップＳ３０４の充電開始の後に行う動作例を示したが、タイマ部１０５のカウント動作の再スタートは、ステップＳ３０４の充電開始の直前でも、ステップＳ３０６の充電電力給電の直後でも、ステップＳ３０７の充電終了の直前又は直後でもよい。即ち、タイマ部１０５のカウント動作の再スタートは、充電動作に連係する任意のタイミングでよい。
【００５４】
図４は、図３のステップＳ３０９からＳ３１２の処理に伴って、例えば運転席横のディスプレイ等に表示されるユーザ認証の画面の表示例を示す図である。この表示例は、車両が音声認識システムを搭載している場合の例である。
【００５５】
まず、図３のステップＳ３０９のユーザへの充電禁止の通知として、図４（ａ）に示すような画面を表示する。これによりユーザが例えば「解除」と発声すると、その音声がシステム側で認識された後に、図３のステップＳ３１０の判定がＹＥＳになる。一方、ユーザが例えば「終了」と発声すると、その音声がシステム側で認識された後に、図３のステップＳ３１０の判定がＮＯになる。
【００５６】
「解除」の要求があった場合、例えば図４（ｂ）に示すような画面を表示し、暗証番号の入力（ユーザ認証）を促す。これに応答してユーザが暗証番号を発声すると、その音声がシステム側で認識された後に、図３のステップＳ３１１の確認処理を実行する。
【００５７】
そして、暗証番号の認証に成功して、図３のステップＳ３１２の判定が例えばＹＥＳになると、例えば図４（ｃ）に示すような画面を表示し、充電禁止の状態が解除されて充電が開始されたことを表示する。
【００５８】
このように、本実施形態によれば、充電コネクタ１０２が電力供給コネクタに接続されると、前回の充電から一定時間経過して充電状態信号が充電禁止を示していれば、ユーザに充電禁止を通知すると同時に、充電コネクタロック機構１１０に対して充電コネクタロック信号を送出する。一方、前回の充電から一定時間経過する前で充電状態信号が充電許可を示していれば、充電コネクタロック機構１１０に充電コネクタロックロック信号を送出することなく、充電を開始させる。
【００５９】
そして前回の充電からタイマ部１０５に設定した一定時間が経過した後に、充電コネクタ１０２が電力供給コネクタに接続され、充電コネクタ１０２と電力供給コネクタとの接続をロックした場合、ユーザによっては充電コネクタ１０２を電力供給コネクタから外せないようにする。該ロックは、ユーザ認証が成功したときに解除する。
【００６０】
本実施形態を適用することにより、公共施設の充電システムで車両の電池へ充電しようとしたとき、タイマ時間経過により充電コネクタ１０２がロックされ、該車両のユーザの認証が失敗した場合、該車両が公共施設の充電システムに繋がれたままロックされるため、該公共施設と警備システム等との連携により、該車両が盗難車か否かの調査及び盗難車である場合には盗難車の所在位置の特定が可能となる。
【００６１】
また、家庭用の充電システムで充電コネクタ１０２の接続がロックされた場合、該ロックの解除のためには、車両を指定工場へ持ち込まなければ、ロックを解除することができないようにしておくことにより、指定工場と警備システム等との連携により、盗難車か否かの調査及び盗難車である場合には盗難車の所在位置の特定が可能となる。
【００６２】
本実施形態によれば、車両のユーザに対して、常時、ユーザ認証を行うことなく、前回の充電時からタイマ部１０５に設定した一定時間が経過したときのみ、ユーザ認証を行うため、ユーザに大した不便をかけることなく、簡単な制御により、盗難された車両に対する使用制限を与えて盗難車の所在位置を特定することが可能となる。
【００６３】
なお、本実施形態の充電制御部１０１は、充電システム側に設置しても、車両側に設置してもよい。本発明の実施形態は、以上に述べた実施形態に限定されるものではなく、本発明の要旨を逸脱しない範囲内で種々の構成又は実施形態を取ることができる。
【符号の説明】
【００６４】
１０１  充電制御部
１０２  充電コネクタ
１０３  充電器
１０４  電池
１０５  タイマ部
１０６  充電状態信号設定部
１０７  充電禁止部
１０８  充電禁止解除部
１０９  タイマ制御部
１１０  充電コネクタロック機構
【図１】
2015208140.tif 000003
【図２】
2015208140.tif 000004
【図３】
2015208140.tif 000005
【図４】
2015208140.tif 000006